(57)【要約】【課題】被記録媒体の種類が誤って認識されることを防止する。【解決手段】被記録媒体４０は、長手方向に巻かれて中空部分を有したテープである感熱テープ４２と、感熱テープ４２の種類を示す粘着シートであるアテンションシート４４と、を備える。アテンションシート４４は、感熱テープ４２の側面に貼り付けられている。【選択図】図１４
2019142637.tif 000002
【特許請求の範囲】
【請求項１】
長手方向に巻かれて中空部分を有したテープと、
前記テープの側面に貼り付けられた、前記テープの種類を示す粘着シートと、を備える
ことを特徴とする被記録媒体。
【請求項２】
請求項１に記載の被記録媒体において、
前記粘着シートは、各々が前記テープの幅を示す、円環状に配列された複数の幅情報を含む
ことを特徴とする被記録媒体。
【請求項３】
請求項２に記載の被記録媒体において、
前記複数の幅情報の各々は、幅を示す文字を含み、
前記複数の幅情報に含まれる、各々が幅を示す複数の文字は、周方向に対して同じ方向に向けられている
ことを特徴とする被記録媒体。
【請求項４】
請求項３に記載の被記録媒体において、
前記複数の幅情報の各々は、前記文字の向きを示す下線を含む
ことを特徴とする被記録媒体。
【請求項５】
請求項３又は請求項４に記載の被記録媒体において、
前記複数の文字は、前記被記録媒体が印刷装置に収容されているときに前記印刷装置の窓内の所定位置を介して視認される前記文字が正面を向くような方向に向けられる
ことを特徴とする被記録媒体。
【請求項６】
請求項２乃至請求項５のいずれか１項に記載の被記録媒体において、
前記複数の幅情報は、前記被記録媒体が印刷装置に収容されているときに前記印刷装置の窓を介して複数の幅情報が視認されるような間隔で、配列される
ことを特徴とする被記録媒体。
【請求項７】
請求項１乃至請求項６のいずれか１項に記載の被記録媒体において、
前記粘着シートの少なくともの一部の色は、前記テープの印刷面の色と同じである
ことを特徴とする被記録媒体。
【請求項８】
請求項１乃至請求項７のいずれか１項に記載の被記録媒体において、
前記粘着シートは、
前記テープの中空部分よりも小さな開口部を有し、
前記開口部が前記テープの前記中空部分に対向するように前記側面に貼り付けられた
ことを特徴とする被記録媒体。
【請求項９】
請求項８に記載の被記録媒体において、
前記テープの前記中空部分に設けられ、前記テープが巻きつけられた筒部材を備え、
前記開口部の直径は、前記筒部材の前記中空部分の内径よりも小さい
ことを特徴とする被記録媒体。
【発明の詳細な説明】
【技術分野】
【０００１】
本明細書の開示は、被記録媒体に関する。
【背景技術】
【０００２】
従来から、長手方向に巻かれてロール形状を有した被記録媒体に文字、図形等を印刷してラベルを作成するラベルプリンタが知られている。
【０００３】
特許文献１には、被記録媒体を収容するラベルプリンタが記載されている。特許文献２には、被記録媒体を収容したテープカートリッジを収容したラベルプリンタが記載されている。
【先行技術文献】
【特許文献】
【０００４】
【特許文献１】特開２０１２−１７９８８２号公報
【特許文献２】特開２０１４−０２８４４８号公報
【発明の概要】
【発明が解決しようとする課題】
【０００５】
ところで、ラベルプリンタに使用される被記録媒体には、幅、印刷面の色などの違いによって様々な種類のものが存在する。ユーザは、用途や好みに応じて選択した被記録媒体をユーザ自身で印刷装置に装着することで、種類の異なる複数の被記録媒体を使い分けることができる。
【０００６】
しかしながら、従来のロール形状を有する被記録媒体では、被記録媒体の種類の違いを見分けることは容易ではない。例えば、被記録媒体の幅については、頻繁に使用するユーザでもなければひと目で認識することは難しい。また、印刷面の色についても、印刷面が内側を向くように、被記録媒体が巻かれている場合には、印刷面の色が外部から視認できないこともある。
【０００７】
以上のような実情を踏まえ、本発明の一側面に係る目的は、被記録媒体の種類が誤って認識されることを防止する技術を提供することである。
【課題を解決するための手段】
【０００８】
本発明の一態様に係る被記録媒体は、長手方向に巻かれて中空部分を有したテープと、前記テープの側面に貼り付けられた、前記テープの種類を示す粘着シートと、を備える。
【発明の効果】
【０００９】
上記の態様によれば、被記録媒体の種類が誤って認識されることを防止することができる。
【図面の簡単な説明】
【００１０】
【図１】蓋４を閉じた状態における印刷装置１の平面図である。
【図２】蓋４を開けた状態における印刷装置１の平面図である。
【図３】媒体アダプタ１０の斜視図である。
【図４】被記録媒体４０の構成を説明するための図である。
【図５】感熱テープ４２の構成を説明するための図である。
【図６】アダプタ本体２０の斜視図である。
【図７】アダプタ本体２０の平面図である。
【図８】アダプタ本体２０の断面図である。
【図９】アテンションシート４４を上に向けた状態における被記録媒体４０の断面図である。
【図１０】バラけ防止シート４３を上に向けた状態における被記録媒体４０の断面図である。
【図１１】アダプタ本体５０の断面図である。
【図１２】アダプタ本体６０の断面図である。
【図１３】アダプタ本体７０の断面図である。
【図１４】被記録媒体４０の斜視図である。
【図１５】アテンションシート４４の平面図である。
【図１６】被記録媒体１４０の斜視図である。
【発明を実施するための形態】
【００１１】
図１は、蓋４を閉じた状態における印刷装置１の平面図である。図２は、蓋４を開けた状態における印刷装置１の平面図である。以下、図１及び図２を参照しながら、印刷装置１の構成について説明する。
【００１２】
印刷装置１は、被記録媒体４０が有する感熱テープ４２に印刷を行うラベルプリンタである。以降では、感熱テープ４２を使用する感熱方式のラベルプリンタを例にして説明するが、印刷方式は特に限定されない。印刷装置１は、インクリボンを使用する熱転写方式のラベルプリンタであってもよい。また、ラベルプリンタである印刷装置１は、サーマルプリンタに限らない。例えば、インクジェットプリンタ、レーザプリンタなどであってもよい。また、印刷装置１は、シングルパス（ワンパス）方式で印刷を行ってもよく、マルチパス（スキャン）方式で印刷を行ってもよい。
【００１３】
印刷装置１は、図１に示すように、装置筐体２と、入力部３と、開閉自在な蓋４と、窓５と、表示部６と、を備えている。また、図示しないが、装置筐体２には、電源コード接続端子、外部機器接続端子、記憶媒体挿入口等が設けられている。
【００１４】
入力部３は、装置筐体２の上面に設けられている。入力部３は、入力キー、十字キー、変換キー、決定キーなどの種々のキーを備える。蓋４は、装置筐体２上に配置されている。利用者は、ボタン４ａを押下してロック機構を解除することで、図２に示すように、蓋４を開けることができる。蓋４には、蓋４が閉じた状態でも印刷装置１に被記録媒体４０が収容されているか否かを目視で確認可能とするために、窓５が形成されている。また、蓋４は、表示部６を有している。
【００１５】
表示部６は、例えば、液晶ディスプレイ、有機ＥＬ（electro-luminescence）ディスプレイなどである。表示部６は、入力部３からの入力に対応する文字等、各種設定のための選択メニュー、各種処理に関するメッセージ等、を表示する。なお、表示部４はタッチパネル付きのディスプレイであってもよく、入力部３の一部として機能しても良い。
【００１６】
装置筐体２は、図２に示すように、蓋４の下方に、媒体アダプタ収容部２ａと、プラテンローラ７と、サーマルヘッド８を備えている。媒体アダプタ収容部２ａには、被記録媒体４０を収容した媒体アダプタ１０が収容される。なお、媒体アダプタ１０及び被記録媒体４０については、後述する。
【００１７】
プラテンローラ７は、感熱テープ４２を搬送する搬送部である。プラテンローラ７は、図示しない搬送用モータの回転により回転する。搬送用モータは、例えば、ステッピングモータ、直流（ＤＣ）モータなどである。プラテンローラ７は、媒体アダプタ１０から繰り出された感熱テープ４２をサーマルヘッド８との間に狭持しながら回転することで、感熱テープ４２を搬送方向に搬送する。
【００１８】
サーマルヘッド８は、感熱テープ４２に印刷を行う印刷ヘッドである。サーマルヘッド８は、感熱テープ４２の搬送方向に直交する主走査方向に配列された複数の発熱素子を有し、発熱素子で感熱テープ４２を加熱することにより一ラインずつ印刷を行う。
【００１９】
図３は、媒体アダプタ１０の斜視図である。図４は、被記録媒体４０の構成を説明するための図である。図５は、感熱テープ４２の構成を説明するための図である。以下、図３から図５を参照しながら、媒体アダプタ１０及び被記録媒体４０の構成について説明する。
【００２０】
媒体アダプタ１０は、被記録媒体４０を収容するための媒体アダプタであり、利用者が被記録媒体４０を交換できるように、被記録媒体４０を収容する。つまり、媒体アダプタ１０は、利用者が媒体アダプタ１０に対して被記録媒体４０を出し入れすることを前提に設計されている。
【００２１】
媒体アダプタ１０は、図３に示すように、アダプタ本体２０と、アダプタ蓋３０と、を備えている。被記録媒体４０は、アダプタ本体２０とアダプタ蓋３０とで区画された媒体アダプタ１０の内部空間内に収容される。アダプタ本体２０については、後述する。アダプタ蓋３０は、アダプタ本体２０に対して開閉自在に取り付けられている。
【００２２】
また、媒体アダプタ１０は、被記録媒体４０が有する感熱テープ４２のテープ幅に合わせて設計されている。媒体アダプタ１０が収容すべき感熱テープ４２のテープ幅は、アダプタ本体２０の領域２０ａに表示されている。この例では、媒体アダプタ１０は、テープ幅６ｍｍのテープ用の媒体アダプタである。
【００２３】
印刷装置１では、被記録媒体４０を収容した媒体アダプタ１０が印刷装置１に収容されることで、被記録媒体４０が印刷装置１に収容される。
【００２４】
なお、印刷装置１は、異なるテープ幅に対応した媒体アダプタを収容することができる。印刷装置１は、具体的には、例えば、図３に示す６ｍｍのテープ用の媒体アダプタ１０の他に、９ｍｍのテープ用の媒体アダプタ、１２ｍｍのテープ用の媒体アダプタ、１８ｍｍのテープ用の媒体アダプタなどを収容することができる。
【００２５】
被記録媒体４０は、図４に示すように、紙管４１と、感熱テープ４２と、バラけ防止シート４３と、アテンションシート４４を備えている。
【００２６】
紙管４１は、感熱テープ４２が巻きつけられた筒部材であり、中空部分４１ａを有している。感熱テープ４２は、長手方向に巻かれて筒形状を有した印刷用のテープであり、中空部分４２ａを有するように巻かれている。バラけ防止シート４３は、感熱テープ４２の環形状の側面の一方（側面４２ｃ）に貼り付けられた粘着シートである。アテンションシート４４は、感熱テープ４２の環形状の側面の他方（側面４２ｂ）に貼り付けられた粘着シートである。
【００２７】
紙管４１は、感熱テープ４２の中空部分４２ａに設けられる。紙管４１は、少なくとも円柱形状の中空部分を有することが望ましく、図４に示すような円筒部材であれば更に望ましい。被記録媒体４０が媒体アダプタ１０に収容された状態では、紙管４１の中空部分４１ａに、アダプタ本体２０の突出部２３（図６参照）が挿通される。紙管４１は、感熱テープ４２がプラテンローラ７により搬送されているときに、被記録媒体４０を傷めることなく、被記録媒体４０を媒体アダプタ１０の内部でスムーズに回転させるのに有用である。
【００２８】
感熱テープ４２は、例えば、図５に示すような５層構造を有している。即ち、セパレータＬ１と、粘着層Ｌ２と、基材Ｌ３と、発色層Ｌ４と、保護層Ｌ５とがこの順に積層されている。セパレータＬ１は粘着層Ｌ２を覆うように剥離可能に基材Ｌ３に貼り付けられている。セパレータＬ１の材料は、例えば、紙であるが、紙に限らず、ＰＥＴ（ポリエチレンテレフタレート）であってもよい。粘着層Ｌ２は、基材Ｌ３に塗布された粘着材である。基材Ｌ３の材料は、例えば、有色のＰＥＴである。発色層Ｌ４は、熱エネルギーの加熱により発色する感熱発色層である。保護層Ｌ５の材料は、例えば、透明なＰＥＴである。
【００２９】
感熱テープ４２の構成は、図５に示す構成に限らない。感熱テープ４２は、セパレータＬ１を有さず、粘着層Ｌ２が露出したものであってもよい。なお、この場合、バラけ防止シート４３は省略されてもよい。また、感熱テープ４２は、保護層Ｌ５を有さず、発色層Ｌ４が露出したものであってもよい。
【００３０】
感熱テープ４２は、紙管４１に巻きつけられた状態では、紙管４１に応じた形状を有する。紙管４１の形状が、図４に示すように、円筒形状であれば、感熱テープ４２も円筒形状を有し、両側面（側面４２ｂ、側面４２ｃ）は円環形状を有する。紙管４１の形状が中空六角柱形状であれば、感熱テープ４２も中空六角柱形状を有し、両側面は六角形環形状を有する。
【００３１】
バラけ防止シート４３は、感熱テープ４２の形状を維持するための粘着シートである。感熱テープ４２は湿度変化により膨張することがある。しかしながら、バラけ防止シート４３を感熱テープ４２の側面４２ｃに貼り付けることで、膨張に伴う感熱テープ４２の形状変化、つまり、感熱テープ４２がバラけしてしまうこと、を抑制することができる。また、バラけ防止シート４３は、被記録媒体４０の落下等により感熱テープ４２に衝撃が加わった場合にも、形状変化を抑制することができる。
【００３２】
バラけ防止シート４３は、開口部４３ａと、粘着面４３ｂと、を有している。開口部４３ａは、紙管４１の中空部分４１ａと同じ大きさであるか、又は、紙管４１の中空部分４１ａよりも大きい。また、開口部４３ａは、後述する開口部４４ａよりも大きい。また、開口部４３ａは、感熱テープ４２の中空部分４２ａと同じ大きさであるか、又はそれよりも大きいことが望ましい。より詳細には、開口部４３ａの直径は、感熱テープ４２の中空部分４２ａの内径以上であることが望ましい。バラけ防止シート４３は、開口部４３ａが感熱テープ４２の中空部分４２ａに対向するように側面４２ｃに貼り付けられる。また、バラけ防止シート４３は、感熱テープ４２の側面４２ｃを覆うような大きさを有することが望ましい。つまり、バラけ防止シート４３は、側面４２ｃよりも大きいことが望ましい。これにより、感熱テープ４２全体を粘着面で保持することができるため、形状をより確実に維持することができる。
【００３３】
また、バラけ防止シート４３の形状は、側面４２ｃの形状に近似した形状であることが望ましい。つまり、側面４２ｃが円環形状であれば、バラけ防止シート４３も円環形状を有することが望ましい。これにより、感熱テープ４２の形状維持に貢献しない領域を小さくすることができるため、バラけ防止シート４３の大きさを小さくすることができる。また、粘着面の露出も少なくなるため、バラけ防止シート４３への塵、埃などの付着も抑えることができる。
【００３４】
アテンションシート４４は、被記録媒体４０の種類（より厳密には、感熱テープ４２の種類）を示す粘着シートである。感熱テープ４２には、テープ幅、及び、被印刷面の色の違いにより、様々な種類が存在する。アテンションシート４４には、種類を特定するための情報が含まれているため、アテンションシート４４を感熱テープ４２の側面４２ｂに貼り付けることで、利用者は被記録媒体４０の種類を容易に特定することが可能となる。
【００３５】
アテンションシート４４は、開口部４４ａと、粘着面４４ｂと、を有している。開口部４４ａは、感熱テープ４２の中空部分４２ａよりも小さく、さらに、紙管４１の中空部分４１ａよりも小さい。より詳細には、開口部４４ａの直径は、感熱テープ４２の中空部分４２ａの内径よりも小さく、さらに、紙管４１の中空部分４１ａの内径よりも小さい。アテンションシート４４は、開口部４４ａが感熱テープ４２の中空部分４２ａに対向するように側面４２ｂに貼り付けられる。また、アテンションシート４４は、例えば、被記録媒体４０の販売時など、少なくとも被記録媒体４０の使用が開始される前においては、感熱テープ４２の側面４２ｂよりも小さいことが望ましい。より詳細には、アテンションシート４４の面積は、感熱テープ４２の側面４２ｂの面積よりも小さいことが望ましい。これにより、感熱テープ４２の側面４２ｂのうちアテンションシート４４に覆われる領域が小さくなるため、感熱テープ４２の残量の確認が容易になる。
【００３６】
紙管４１、バラけ防止シート４３、アテンションシート４４の材料は、紙に限らない。ただし、これらの部材が紙製であれば、感熱テープ４２を使い切った使用済みの被記録媒体４０を可燃ゴミとして捨てることができる。このため、紙管４１、バラけ防止シート４３、アテンションシート４４の材料は、紙であることが望ましい。
【００３７】
以上のように、被記録媒体４０では、感熱テープ４２の中空部分４２ａよりも小さな開口部４４ａを有するアテンションシート４４が感熱テープ４２の側面４２ｃに貼り付けられている。このため、被記録媒体４０を側面４２ｂ側から見たときの開口の大きさ（つまり、開口部４４ａの大きさ）と、被記録媒体４０を側面４２ｃ側から見たときの開口の大きさ（つまり、開口部４３ａの大きさ）と、が異なっている。
【００３８】
被記録媒体４０によれば、これらの開口の大きさの違いにより、媒体アダプタ１０に被記録媒体４０が誤った向きで収容されることを防止することができる。なお、印刷装置１では、被記録媒体４０は媒体アダプタ１０に装着されるが、被記録媒体４０は、被記録媒体４０を直接収容する印刷装置に用いられてもよい。その場合も、印刷装置に被記録媒体４０が誤った向きで収容されることを防止することができる。従って、被記録媒体４０によれば、被記録媒体４０が誤った向きで装着されることを防止することができる。
【００３９】
図６は、アダプタ本体２０の斜視図である。図７は、アダプタ本体２０の平面図である。図８は、アダプタ本体２０の断面図である。図９は、アテンションシート４４を上に向けた状態における被記録媒体４０の断面図である。図１０は、バラけ防止シート４３を上に向けた状態における被記録媒体４０の断面図である。以下、図６から図１０を参照しながら、誤った向きでの装着が防止されることについて、更に詳細に説明する。
【００４０】
アダプタ本体２０は、図６に示すように、ガイド２１と、媒体収容部２２と、突出部２３と、を備えている。ガイド２１は、媒体収容部２２から繰り出された感熱テープ４２の搬送方向を規制する規制部材である。媒体収容部２２は、媒体アダプタ１０の内壁面の一部である底面２２ａを有し、底面２２ａにバラけ防止シート４３を向けた状態で、被記録媒体４０を収容する。突出部２３については、後述する。
【００４１】
また、アダプタ本体２０は、図７に示すように、複数のリブ２６を有している。複数のリブ２６は、底面２２ａに設けられていて、媒体収容部２２に収容された被記録媒体４０を支持する。これにより、媒体アダプタ１０内部で被記録媒体４０が回転するときの摩擦抵抗が減少するため、スムーズな回転が実現できる。特に、複数のリブ２６が突出部２３に対して放射状に設けられることで、被記録媒体４０の径方向の各位置に均等に摩擦力を働かせることができる。
【００４２】
さらに、アダプタ本体２０は、図７に示すように、複数のリブ２６の間に、領域２７を有している。領域２７には、例えば、収容されるべき被記録媒体のテープ幅を特定するための情報が印刷されたシールが貼付される。つまり、領域２７には、媒体アダプタ１０がテープ幅何ｍｍのテープ用の媒体アダプタであるかが示される。これにより、利用者は、媒体アダプタ１０に被記録媒体４０を装着するときに、領域２７の情報とアテンションシート４４の情報とを比較することで、被記録媒体４０のテープ幅が媒体アダプタ１０が対応しているテープ幅か否かをひと目で確認することができる。このためで、誤ったテープ幅を有する被記録媒体４０を媒体アダプタ１０に装着することを防止することができる。
【００４３】
突出部２３は、媒体アダプタ１０に被記録媒体４０が収容された状態で、被記録媒体４０が有する感熱テープ４２の中空部分４２ａに挿通される。突出部２３は、媒体収容部２２の底面２２ａから延出した第１の突出部２４と、第１の突出部２４の先端面２４ａから延出した第２の突出部２５と、を有している。
【００４４】
第１の突出部２４は、感熱テープ４２の中空部分４２ａよりも小さく、且つ、アテンションシート４４の開口部４４ａよりも大きい。さらに詳細には、第１の突出部２４は、紙管４１の紙管４１ａよりも小さい。別の言い方をすると、図８に示す第１の突出部２４の外径Ｄ１は、図９に示す感熱テープ４２の中空部分４２ａの内径Ｄ４２ｉよりも小さく、且つ、図９に示すアテンションシート４４の開口径Ｄ４４ｉ（つまり、開口部４４ａの直径）よりも大きい。さらに、第１の突出部２４の外径Ｄ１は、図９に示す紙管４１の中空部分４１ａの内径Ｄ４１よりも小さい。また、図１０に示すように、バラけ防止シート４３の開口径Ｄ４３ｉは、紙管４１の中空部分４１ａの内径Ｄ４１と同等かそれ以上である。このため、第１の突出部２４の外径Ｄ１は、バラけ防止シート４３の開口径Ｄ４３ｉ（つまり、開口部４３ａの直径）よりも小さい。
【００４５】
第１の突出部２４は、図８に示すように、底面２２ａを基準とした高さＨ１を有している。第１の突出部２４の高さＨ１は、媒体アダプタ１０が対応した感熱テープ４２のテープ幅よりも低い。つまり、６ｍｍよりも低い。
【００４６】
第２の突出部２５は、アテンションシート４４の開口部４４ａよりも小さい。別の言い方をすると、図８に示す第２の突出部２５の外径Ｄ２は、図９に示すアテンションシート４４の開口径Ｄ４４ｉよりも小さい。
【００４７】
第２の突出部２５は、図８に示すように、底面２２ａを基準とした高さＨ２を有し、且つ、先端面２４ａを基準とした高さＨ１２を有している。第２の突出部２５の高さＨ２は、媒体アダプタ１０が対応した感熱テープ４２のテープ幅よりも高い。つまり、６ｍｍよりも高い。
【００４８】
その他、図９に示すように、アテンションシート４４の外径Ｄ４４ｏは、感熱テープ４２の内径Ｄ４２ｉよりも大きい。また、図９及び図１０に示すように、バラけ防止シート４３の外径Ｄ４３ｏは、感熱テープ４２の外径Ｄ４２ｏと同等かそれ以上である。
【００４９】
突出部２３のサイズと被記録媒体４０のサイズが以上のような関係にあることで、バラけ防止シート４３を底面２２ａに向けた場合であれば、突出部２３が感熱テープ４２の中空部分４２ａを挿通し、バラけ防止シート４３が底面２２ａのリブ２６に支持される。このため、安定した状態で、被記録媒体４０を媒体アダプタ１０に収容することができる。
【００５０】
その一方で、アテンションシート４４を底面２２ａに向けた場合には、アテンションシート４４は、先端面２４ａに接触してしまい、リブ２６にまで達しない。この状態は、被記録媒体４０が狭い先端面２４ａで支持された状態であり、非常に不安定である。このため、利用者は、被記録媒体４０を装着する向きを誤ったことに直ぐに気が付くことができる。また、この状態では、アダプタ蓋３０が被記録媒体４０にぶつかってしまい、閉まらない。
【００５１】
従って、被記録媒体４０及び媒体アダプタ１０によれば、被記録媒体４０が誤った向きに装着されることを防止することができる。
【００５２】
図１１は、アダプタ本体５０の断面図である。図１２は、アダプタ本体６０の断面図である。図１３は、アダプタ本体７０の断面図である。以下、図８及び図１１から図１３を参照しながら、対応するテープ幅の異なる媒体アダプタ間の差異について説明する。
【００５３】
図１１に示すアダプタ本体５０、図１２に示すアダプタ本体６０、図１３に示すアダプタ本体７０は、それぞれ、９ｍｍ、１２ｍｍ、１８ｍｍのテープ用の媒体アダプタが有するアダプタ本体である。なお、これらの媒体アダプタのアダプタ蓋は、６ｍｍのテープ用の媒体アダプタ１０が有するアダプタ蓋３０と同じである。
【００５４】
アダプタ本体５０は、図１１に示すように、突出部５３を有している。突出部５３は、底面５２ａから延出した第１の突出部と、第１の突出部から延出した第２の突出部を有する。アダプタ本体６０は、図１２に示すように、突出部６３を有している。突出部６３は、底面６２ａから延出した第１の突出部と、第１の突出部から延出した第２の突出部を有する。アダプタ本体７０は、図１３に示すように、突出部７３を有している。突出部７３は、底面７２ａから延出した第１の突出部と、第１の突出部から延出した第２の突出部を有する。
【００５５】
第１の突出部の外径Ｄ１と第２の突出部の外径Ｄ２は、媒体アダプタによらず共通である。また、第１の突出部の先端面を基準とした第２の突出部の高さＨ１２も、媒体アダプタによらず共通である。第１の突出部の高さＨ１と、底面を基準とした第２の突出部の高さＨ２は、媒体アダプタ毎に異なる。
【００５６】
図８に示す６ｍｍテープ用のアダプタ本体２０については、第１の突出部２４の高さＨ１は、アダプタ本体２０が対応するテープ幅である６ｍｍよりも低い。また、第２の突出部２５の高さＨ２は、アダプタ本体２０が対応するテープ幅である６ｍｍよりも高く、且つ、アダプタ本体５０が対応するテープ幅である９ｍｍよりも低い。
【００５７】
図１１に示す９ｍｍテープ用のアダプタ本体５０については、第１の突出部の高さＨ１は、アダプタ本体５０が対応するテープ幅である９ｍｍよりも低い。また、第２の突出部の高さＨ２は、アダプタ本体５０が対応するテープ幅である９ｍｍよりも高く、且つ、アダプタ本体６０が対応するテープ幅である１２ｍｍよりも低い。
【００５８】
図１２に示す１２ｍｍテープ用のアダプタ本体６０については、第１の突出部の高さＨ１は、アダプタ本体６０が対応するテープ幅である１２ｍｍよりも低い。また、第２の突出部の高さＨ２は、アダプタ本体６０が対応するテープ幅である１２ｍｍよりも高く、且つ、アダプタ本体７０が対応するテープ幅である１８ｍｍよりも低い。
【００５９】
図１３に示す１８ｍｍテープ用のアダプタ本体７０については、第１の突出部の高さＨ１は、アダプタ本体７０が対応するテープ幅である１８ｍｍよりも低い。また、第２の突出部の高さＨ２は、アダプタ本体７０が対応するテープ幅である１８ｍｍよりも高い。
【００６０】
つまり、第１の突出部の高さＨ１は、対応するテープ幅よりも低く、第２の突出部の高さＨ２は、対応するテープ幅よりも高い。また、第１の突出部の高さＨ１は、対応するテープ幅よりも短い他の媒体アダプタに対応するテープ幅よりも高い。換言すると、第１の突出部の高さＨ１は、予め決められた複数のテープ幅（６ｍｍ、９ｍｍ、１２ｍｍ、１８ｍｍ）に含まれる対応するテープ幅よりも短いテープ幅と比較して高い。
【００６１】
突出部のサイズ（高さ、外径）が以上のような関係にあることで、被記録媒体４０が、媒体アダプタが対応するテープ幅を有する場合であれば、突出部が感熱テープ４２の中空部分４２ａを挿通し、バラけ防止シート４３がリブに支持される。このため、安定した状態で、被記録媒体４０を媒体アダプタに収容することができる。
【００６２】
その一方で、被記録媒体４０が、媒体アダプタが対応するテープ幅よりも短いテープ幅を有する場合であれば、たとえ正しい向きで装着する場合であっても、アテンションシート４４が第１の突出部の先端面に接触してしまい、バラけ防止シート４３はリブにまで達しない。この状態は、被記録媒体４０が狭い先端面で支持された状態であり、非常に不安定である。このため、利用者は、媒体アダプタが対応するテープ幅とは異なるテープ幅の被記録媒体４０を装着したことに直ぐに気が付くことができる。
【００６３】
また、被記録媒体４０が、媒体アダプタが対応するテープ幅よりも長いテープ幅を有する場合であれば、被記録媒体４０のテープ幅が第２の突出部の高さＨ２よりも長くなり、突出部が感熱テープ４２の中空部分４２ａを完全に挿通した状態とはならない。また、第２の突出部の高さは、媒体アダプタの内部空間の高さに略等しい。このため、被記録媒体４０がアダプタ蓋にぶつかってしまい、アダプタ蓋が閉まらない。
【００６４】
従って、被記録媒体４０及び媒体アダプタによれば、媒体アダプタに対応するテープ幅とは異なるテープ幅の被記録媒体４０が装着されることを防止することができる。
【００６５】
図１４は、被記録媒体４０の斜視図である。図１５は、アテンションシート４４の平面図である。図１６は、被記録媒体１４０の斜視図である。以下、図１４から図１６を参照しながら、アテンションシートについて詳細に説明する。なお、被記録媒体１４０は、被記録媒体４０が有する感熱テープ４２とは種類の異なる感熱テープ１４２を有する被記録媒体である。
【００６６】
図１４に示す被記録媒体４０は、テープ幅が６ｍｍで印刷面４２ｄの色が赤色の感熱テープ４２を有している。感熱テープ４２は、印刷面４２ｄが内側を向くように巻かれている。また、被記録媒体４０では、長手方向に巻かれた感熱テープ４２の一方の側面にアテンションシート４４が、他方の側面にバラけ防止シート４３が貼り付けられている。
【００６７】
アテンションシート４４は、感熱テープ４２の種類を示す情報を含んでいる。具体的には、アテンションシート４４は、図１５に示すように、円環状に配列された複数の複数の幅情報４４ｃと、型番情報４４ｄを含んでいる。型番情報４４ｄには、被記録媒体４０の型番を示す文字情報が含まれている。
【００６８】
アテンションシート４４は、感熱テープ４２の印刷面４２ｄの色と同じ色の背景色を有している。なお、アテンションシート４４全体が印刷面の色と同じ色でなくてもよく、アテンションシート４４の少なくとも一部の色が感熱テープ４２の印刷面４２ｄの色と同じ色であればよい。なお、アテンションシート４４の色とは、アテンションシート４４の粘着面４４ｂとは反対の面の色のことである。
【００６９】
複数の幅情報４４ｃは、被記録媒体４０が印刷装置１に収容されているときに印刷装置１の窓５を介して１つ以上の幅情報４４ｃが視認されるような間隔で、配列されている。より望ましくは、複数の幅情報４４ｃは、図１５に示すように、複数の幅情報４４ｃが視認されるような間隔で、配列される。なお、図１５に示す破線５ａは、被記録媒体４０が印刷装置１に収容されているときの窓５の位置を示している。窓５は印刷装置１の耐久性に影響を及ぼさない大きさで形成されている。このため、間隔を大きくとりすぎると、複数の幅情報４４ｃを、窓５を介して視認することが難しくなる。
【００７０】
複数の幅情報４４ｃの各々は、感熱テープ４２の幅を示している。より具体的には、幅情報４４ｃは、幅を示す文字（この例では、６ｍｍのテープ幅を示す“６”）と、文字の向きを示す下線と、を含んでいる。下線があることで、例えば、６ｍｍのテープ幅を示す文字“６”と９ｍｍのテープ幅を示す文字“９”を容易に区別することができる。
【００７１】
複数の幅情報４４ｃに含まれる、各々が幅を示す複数の文字は、周方向に対して同じ方向に向けられている。この同じ方向は、被記録媒体４０が印刷装置１に収容されているときに印刷装置１の窓５内の所定位置を介して視認される文字が正面を向くような方向である。なお、この例では、この方向は周方向と平行な方向である。また、図１５に示す破線５ｂは、被記録媒体４０が印刷装置１に収容されているときの窓５内の所定位置を示している。
【００７２】
アテンションシート４４がテープ幅を示す幅情報４４ｃを含むことで、被記録媒体４０では、感熱テープ４２のテープ幅を容易に確認することができる。特に、幅情報４４ｃがテープ幅を示す文字を含むことで、感熱テープ４２のテープ幅を定量的に把握することができる。印刷装置１では、テープ幅毎に異なる媒体アダプタ１０が使用されるが、感熱テープ４２のテープ幅を定量的に把握することで、媒体アダプタ１０と被記録媒体４０を正しい組み合わせで使用することが容易になる。
【００７３】
また、複数の幅情報４４ｃが円環状に配列されることで、印刷装置１内で被記録媒体４０が回転したときに、複数の幅情報４４ｃは印刷装置１に対して同じ軌跡を描きながら移動する。同じ軌跡上を移動する複数の幅情報４４ｃは、軌跡上の位置毎に文字の方向が変化する。ただし、複数の幅情報４４ｃに含まれる複数の文字が周方向に対して同じ方向に向けられていることで、軌跡上の同じ位置にあるときには、どの幅情報４４ｃに含まれている文字であっても、印刷装置１に対して同じ方向を向くことになる。これにより、被記録媒体４０が回転して窓５から見える文字が複数の文字の間で切り替っても、回転が停止した後に回転前とおよそ同じ条件で感熱テープ４２のテープ幅を確認することができる。さらに、印刷装置１の窓５内の所定位置を介して視認される文字が正面を向くような方向に文字を予め向けておくことで、テープ幅をより読み取りやすくすることができる。
【００７４】
また、印刷装置１の窓５を介して１つ以上の幅情報４４ｃが視認されるような間隔で複数の幅情報４４ｃを配列することで、被記録媒体４０の回転により窓５からテープ幅を確認できない状態が発生することを防止することができる。少なくとも２つの幅情報４４ｃが視認されるような間隔で複数の幅情報４４ｃを配列することで、テープ幅を更に読み取りやすくすることができる。
【００７５】
また、アテンションシート４４の少なくとも一部の色が感熱テープ４２の印刷面の色と同じであることで、感熱テープ４２の色も容易に確認することができる。感熱テープ４２の印刷面が内側を向くように感熱テープ４２が巻かれている場合には、図１４に示すように感熱テープ４２を引き出さなければ、印刷面の色を確認することは容易ではない。特に、媒体アダプタ１０や印刷装置１に収容された状態では印刷面の色を確認することが難しい。しかしながら、アテンションシート４４の少なくとも一部の色が印刷面の色と同じことで、媒体アダプタ１０や印刷装置１に収容された状態でもアテンションシート４４を確認することで印刷面の色を容易に確認することができる。
【００７６】
なお、図１６に示す被記録媒体１４０は、テープ幅が６ｍｍで印刷面１４２ｄの色が黄色の感熱テープ１４２を有している。感熱テープ１４２は、テープ幅は感熱テープ４２と同じであるが印刷面の色が感熱テープ４２とは異なっている。このため、被記録媒体１４０が有するアテンションシート１４４の色も、アテンションシート４４とは異なっている。
【００７７】
図１４に示す被記録媒体４０と図１６に示す被記録媒体１４０に示すように、アテンションシート（アテンションシート４４、アテンションシート１４４）を比較することで、被記録媒体４０と被記録媒体１４０では感熱テープの種類が異なることをひと目で把握することができる。
【００７８】
以上のように、アテンションシート４４を備える被記録媒体４０では、アテンションシート４４に感熱テープ４２の種類を示す情報が含まれているため、アテンションシート４４を確認することで、感熱テープ４２の種類を正しく認識することができる。従って、被記録媒体４０によれば、感熱テープ４２の種類が誤って認識されることを防止することができる。
【００７９】
上述した実施形態は、発明の理解を容易にするために具体例を示したものであり、本発明はこれらの実施形態に限定されるものではない。被記録媒体は、特許請求の範囲の記載を逸脱しない範囲において、さまざまな変形、変更が可能である。
【００８０】
上述した実施形態では、アテンションシート４４が感熱テープ４２の側面４２ｂよりも小さい例を示したが、アテンションシート４４は、側面４２ｂよりも大きくてもよい。この場合、アテンションシート４４は、バラけ防止シート４３と同様の効果を有する。
【００８１】
また、上述した実施形態では、アテンションシート４４が感熱テープ４２の側面４２ｂよりも小さい例を示したが、アテンションシート４４は、側面４２ｂよりも大きくてもよい。この場合、アテンションシート４４は、バラけ防止シート４３と同様の効果を有する。
【００８２】
また、上述した実施形態では、入力部３と表示部６を有する印刷装置１を例示したが、印刷装置は、入力部や表示部を有しなくてもよく、例えば、コンピュータなど、印刷装置とは別の電子機器から印刷データが入力されても良い。
【００８３】
また、上述した実施形態では、対応するテープ幅の異なる媒体アダプタ毎に、第１の突出部の高さＨ１と第２の突出部の高さＨ２がそれぞれ異なる例を示したが、媒体アダプタによらず、第１の突出部の高さＨ１と第２の突出部の高さＨ２はそれぞれ同じであってもよい。
【００８４】
以下、本願の出願当初の特許請求の範囲に記載された発明を付記する。
［付記１］
長手方向に巻かれて中空部分を有したテープと、
前記テープの側面に貼り付けられた、前記テープの種類を示す粘着シートと、を備える
ことを特徴とする被記録媒体。
【００８５】
［付記２］
付記１に記載の被記録媒体において、
前記粘着シートは、各々が前記テープの幅を示す、円環状に配列された複数の幅情報を含む
ことを特徴とする被記録媒体。
【００８６】
［付記３］
付記２に記載の被記録媒体において、
前記複数の幅情報の各々は、幅を示す文字を含み、
前記複数の幅情報に含まれる、各々が幅を示す複数の文字は、周方向に対して同じ方向に向けられている
ことを特徴とする被記録媒体。
【００８７】
［付記４］
付記３に記載の被記録媒体において、
前記複数の幅情報の各々は、前記文字の向きを示す下線を含む
ことを特徴とする被記録媒体。
【００８８】
［付記５］
付記３又は付記４に記載の被記録媒体において、
前記複数の文字は、前記被記録媒体が印刷装置に収容されているときに前記印刷装置の窓内の所定位置を介して視認される前記文字が正面を向くような方向に向けられる
ことを特徴とする被記録媒体。
【００８９】
［付記６］
付記２乃至付記５のいずれか１つに記載の被記録媒体において、
前記複数の幅情報は、前記被記録媒体が印刷装置に収容されているときに前記印刷装置の窓を介して複数の幅情報が視認されるような間隔で、配列される
ことを特徴とする被記録媒体。
【００９０】
［付記７］
付記１乃至付記６のいずれか１つに記載の被記録媒体において、
前記粘着シートの少なくともの一部の色は、前記テープの印刷面の色と同じである
ことを特徴とする被記録媒体。
【００９１】
［付記８］
付記１乃至付記７のいずれか１つに記載の被記録媒体において、
前記粘着シートは、
前記テープの中空部分よりも小さな開口部を有し、
前記開口部が前記テープの前記中空部分に対向するように前記側面に貼り付けられた
ことを特徴とする被記録媒体。
【００９２】
［付記９］
付記８に記載の被記録媒体において、
前記テープの前記中空部分に設けられ、前記テープが巻きつけられた筒部材を備え、
前記開口部の直径は、前記筒部材の前記中空部分の内径よりも小さい
ことを特徴とする被記録媒体。
【符号の説明】
【００９３】
１・・・印刷装置、２・・・装置筐体、２ａ・・・媒体アダプタ収容部、３・・・入力部、４・・・蓋、４ａ・・・ボタン、５・・・窓、５ａ、５ｂ・・・破線、６・・・表示部、７・・・プラテンローラ、８・・・サーマルヘッド、１０・・・媒体アダプタ、２０、５０、６０、７０・・・アダプタ本体、２０ａ、２７・・・領域、２１・・・ガイド、２２・・・媒体収容部、２２ａ、５２ａ、６２ａ、７２ａ・・・底面、２３、５３、６３、７３・・・突出部、２４・・・第１の突出部、２４ａ・・・先端面、２５・・・第２の突出部、２６・・・リブ、３０・・・アダプタ蓋、４０、１４０・・・被記録媒体、４１・・・紙管、４２、１４２・・・感熱テープ、４２ａ・・・中空部分、４２ｂ、４２ｃ・・・側面、４２ｄ、１４２ｄ・・・印刷面、４３・・・バラけ防止シート、４３ａ、４４ａ・・・開口部、４３ｂ、４４ｂ・・・粘着面、４４、１４４・・・アテンションシート、４４ｃ・・・幅情報、４４ｄ・・・型番情報、Ｌ１・・・セパレータ、Ｌ２・・・粘着層、Ｌ３・・・基材、Ｌ４・・・発色層、Ｌ５・・・保護層
【図１】
2019142637.tif 000003
【図２】
2019142637.tif 000004
【図３】
2019142637.tif 000005
【図４】
2019142637.tif 000006
【図５】
2019142637.tif 000007
【図６】
2019142637.tif 000008
【図７】
2019142637.tif 000009
【図８】
2019142637.tif 000010
【図９】
2019142637.tif 000011
【図１０】
2019142637.tif 000012
【図１１】
2019142637.tif 000013
【図１２】
2019142637.tif 000014
【図１３】
2019142637.tif 000015
【図１４】
2019142637.tif 000016
【図１５】
2019142637.tif 000017
【図１６】
2019142637.tif 000018
【手続補正書】
【提出日】平成31年2月25日(2019.2.25)
【手続補正１】
【補正対象書類名】明細書
【補正対象項目名】０００８
【補正方法】変更
【補正の内容】
【０００８】
本発明の一態様に係る被記録媒体は、長手方向に巻かれて中空部分を有したテープと、前記テープの側面の前記中空部分に対応して貼り付けられた、前記テープの種類を示す粘着シートと、を備える。
【手続補正２】
【補正対象書類名】特許請求の範囲
【補正対象項目名】全文
【補正方法】変更
【補正の内容】
【特許請求の範囲】
【請求項１】
長手方向に巻かれて中空部分を有したテープと、
前記テープの側面の前記中空部分に対応して貼り付けられた、前記テープの種類を示す粘着シートと、を備えることを特徴とする被記録媒体。
【請求項２】
請求項１に記載の被記録媒体において、
前記粘着シートは、各々が前記テープの幅を示す、円環状に配列された複数の幅情報を含む
ことを特徴とする被記録媒体。
【請求項３】
請求項２に記載の被記録媒体において、
前記複数の幅情報の各々は、幅を示す文字を含み、
前記複数の幅情報に含まれる、各々が幅を示す複数の文字は、周方向に対して同じ方向に向けられている
ことを特徴とする被記録媒体。
【請求項４】
請求項３に記載の被記録媒体において、
前記複数の幅情報の各々は、前記文字の向きを示す下線を含む
ことを特徴とする被記録媒体。
【請求項５】
請求項１乃至請求項４のいずれか１項に記載の被記録媒体において、
前記粘着シートの少なくともの一部の色は、前記テープの印刷面の色と同じである
ことを特徴とする被記録媒体。
【請求項６】
請求項１乃至請求項５のいずれか１項に記載の被記録媒体において、
前記粘着シートは、
前記テープの中空部分よりも小さな開口部を有し、
前記開口部が前記テープの前記中空部分に対応するように前記側面に貼り付けられている
ことを特徴とする被記録媒体。
【請求項７】
請求項６に記載の被記録媒体において、
前記テープは中央部に前記中空部分を有する筒部材を備える、
前記開口部の直径は、前記筒部材の前記中空部分の内径よりも小さい
ことを特徴とする被記録媒体。
【請求項８】
請求項７に記載の被記録媒体において、
前記開口部の直径は、前記筒部材の前記中空部分の内径よりも小さい
ことを特徴とする被記録媒体。
【請求項９】
請求項３又は請求項４に記載の被記録媒体を収容する印刷装置であって、
前記印刷装置は、前記複数の文字の一部分を視認できる窓を備え、
前記窓は、前記被記録媒体が前記印刷装置に収容されているときに前記文字が所定の向きで視認されるように、所定位置に設けられる
ことを特徴とする。
【請求項１０】
請求項９に記載の被記録媒体を収容する印刷装置であって、 
前記窓は、前記被記録媒体が収容されているときに複数の文字が視認されるような大きさで設けられる
ことを特徴とする。